(57)【特許請求の範囲】
【請求項１】
平板状のフェライト部材と、このフェライト部材上に位置し、誘電体を挟んで上下方向の異なる面に設けられて、上下方向に一部が交叉する第１，第２，第３の中心導体と、この中心導体上に配置された磁石と、この磁石を覆うように配置された第１のヨークと、前記フェライト部材の下面側に配置され、前記第１のヨークとで磁気閉回路を構成する第２のヨークとを備え、前記第２のヨークは、平板からなる底板と、この底板から上方に折り曲げられた側板と、この側板の下部に連結された前記底板の一部で形成され、前記底板との間に切り溝部を設けて前記底板から切り離された端子を有し、前記端子の下面が前記底板の下面と面一となったことを特徴とする非可逆回路素子。
【請求項２】
前記側板には、前記端子との結合部分の両側において、前記切り溝部と繋がったスリット部を設けたことを特徴とする請求項１記載の非可逆回路素子。
【請求項３】
前記端子は、前記底板と平行状態に前記側板から前記第２のヨークの外方に折り曲げられ、前記端子の下面が前記底板の下面と面一になしたことを特徴とする請求項１、又は２記載の非可逆回路素子。
【請求項４】
前記端子が前記切り溝部内に位置したことを特徴とする請求項１、又は２記載の非可逆回路素子。
【発明の詳細な説明】
【０００１】
【発明の属する技術分野】
本発明はアンテナ共用器等に適用されるサーキュレータ、アイソレータ等の非可逆回路素子に関する。
【０００２】
【従来の技術】
従来の非可逆回路素子の構成を図７，図８に基づいて説明すると、磁性材からなるコ字状のヨーク５１は、平板からなる底板５１ａと、この底板５１ａから上方に折り曲げられた側板５１ｂと、底板５１ａに繋がった状態で、側板５１ｂから切り曲げされた複数個の端子５１ｃとを有する。
【０００３】
そして、底板５１ａの下面には、それぞれの端子５１ｃとの結合部分から内方にわたって、絶縁材からなるレジスト層５２が印刷、或いは塗布等によって形成されている。
金属板からなる中心導体５３は、一端側に設けられた接地用の端子部５３ａが底板５１ａに半田付けされている。
【０００４】
このような構成を有する非可逆回路素子は、図８に示すように、ヨーク５１の底板５１ａが導電パターン５４を有する回路基板５５上に載置され、端子５１ｃが導電パターン５４に半田付けされて、非可逆回路素子が面実装される。
この半田付け時、レジスト層５２は、溶けた半田が底板５１ａの下面に広がって、半田付け不良を起こすのを防止している。
【０００５】
【発明が解決しようとする課題】
従来の非可逆回路素子は、端子５１ｃが底板５１ａと繋がった構成であるため、半田付け不良防止用のレジスト層５２を必要とし、従って、レジスト層５２を形成する作業が必要で、生産性が悪く、コスト高になるという問題がある。
【０００６】
そこで、本発明は生産性が良く、安価な非可逆回路素子を提供することを目的とする。
【０００７】
【課題を解決するための手段】
上記課題を解決するための第１の解決手段として、平板状のフェライト部材と、このフェライト部材上に位置し、誘電体を挟んで上下方向の異なる面に設けられて、上下方向に一部が交叉する第１，第２，第３の中心導体と、この中心導体上に配置された磁石と、この磁石を覆うように配置された第１のヨークと、前記フェライト部材の下面側に配置され、前記第１のヨークとで磁気閉回路を構成する第２のヨークとを備え、前記第２のヨークは、平板からなる底板と、この底板から上方に折り曲げられた側板と、この側板の下部に連結された前記底板の一部で形成され、前記底板との間に切り溝部を設けて前記底板から切り離された端子を有し、前記端子の下面が前記底板の下面と面一となった構成とした。
【０００８】
また、第２の解決手段として、前記側板には、前記端子との結合部分の両側において、前記切り溝部と繋がったスリット部を設けた構成とした。
また、第３の解決手段として、前記端子は、前記底板と平行状態に前記側板から前記第２のヨークの外方に折り曲げられ、前記端子の下面が前記底板の下面と面一になした構成とした。
また、第４の解決手段として、前記端子が前記切り溝部内に位置した構成とした。
【００１０】
【発明の実施の形態】
本発明の非可逆回路素子の図面を説明すると、図１は本発明の非可逆回路素子の第１実施例に係る分解斜視図、図２は本発明の非可逆回路素子の第１実施例に係る要部の断面図、図３は本発明の非可逆回路素子の第１実施例に係り、第２のヨークの要部の拡大斜視図、図４は本発明の非可逆回路素子の第１実施例に係り、第２のヨークの要部の拡大断面図である。
【００１１】
また、図５は本発明の非可逆回路素子の第２実施例に係り、第２のヨークの要部の拡大斜視図、図６は本発明の非可逆回路素子をサーキュレータに適用した等価回路図である。
【００１２】
次に、本発明の非可逆回路素子の第１実施例の構成を図１〜図４に基づいて説明すると、コ字状の磁性板（鉄板等）からなる第１のヨーク１は、四角状の平板からなる上板１ａと、この上板１ａの対向する辺から下方に折り曲げられた対向する一対の側板１ｂとを有する。
【００１３】
合成樹脂の成型品からなる位置決め部材１１は、互い分離した二つの部材、或いは一つの部材からなり、この位置決め部材１１は、第１のヨーク１の内面に取り付けられている。
そして、位置決め部材１１は、成型加工によって第１のヨーク１と一体に形成されている。
【００１４】
円板状の磁石２は、位置決め部材１１の内部に挿入されて配置され、磁石２の外周面が位置決め部材１１に支持されて、位置決めされた構成となっている。
【００１５】
コ字状の磁性板（鉄板等）からなる第２のヨーク３は、四角状の平板からなる底板３ａと、この底板３ａの対向する辺から上方に折り曲げられた比較的長い対向する一対の第１の側板３ｂと、この第１の側板３ｂと直交する底板３ａの対向する辺から上方に折り曲げられた比較的短い対向する一対の第２の側板３ｃと、この第２の側板３ｃの下部と連結された状態で、外側に折り曲げられた複数個の端子３ｄとを有する。
【００１６】
この端子３ｄは、底板３ａに設けられた切り溝部３ｅによって、底板３ａと切り離された状態となると共に、第２の側板３ｃと端子３ｄの結合部分の両側において、第２の側板３ｃには、切り溝部３ｅと繋がったスリット部３ｆが設けられている。
また、端子３ｄは、底板３ａと平行状態に第２の側板３ｂから折り曲げられると共に、この端子部３ｄの下面は、底板３ａの下面と面一となっている。
【００１７】
そして、この第２のヨーク３は、その一対の第１の側板３ｂが第１のヨーク１の一対の側板１ｂと結合されて、磁気閉回路が形成される。
【００１８】
ＹＩＧ（Ｙｔｔｒｉｕｍ  ｉｒｏｎ  ｇａｒｎｅｔ）等からなる平板状のフェライト部材４は、第２のヨーク３の底板３ａ上に載置された状態で、取り付けられている。
【００１９】
また、チップ型のコンデンサＣ１は、板状のセラミック等からなる絶縁体２１と、この絶縁体２１の対向する平坦な二つの外面に設けられた銀等からなる第１，第２の電極部２２，２３とで構成され、そして、互いに対向する第１，第２の電極部２２，２３との間で容量が形成されている。
【００２０】
そして、３個のチップ型のコンデンサＣ１は、第１の電極部２２が第２のヨーク３の底板３ａ上に載置されると共に、第１の電極部２２が底板３ａに半田付けされて、コンデンサＣ１が第２のヨーク３に取り付けられると共に、第２のヨーク３に接地された構成となっている。
【００２１】
銅等の導電板からなる第１，第２，第３の中心導体５，６、７は、それぞれ両端部に設けられた一対の折り曲げ部５ａ、６ａ、７ａと、一方の折り曲げ部５ａ、６ａ、７ａの端部に設けられた接続部５ｂ、６ｂ、７ｂと、他方の折り曲げ部５ａ、６ａ、７ａの端部に折り曲げ形成された端子部５ｃ、６ｃ、７ｃとを有する。
【００２２】
そして、第１，第２，第３の中心導体５，６、７は、それぞれ絶縁材からなる誘電体８を挟んで上下方向の異なる面に配置され、且つ、互いに１２０度の間隔を置いて配設されると共に、上下方向において一部が交叉した状態となっている。
また、これ等の第１，第２，第３の中心導体５，６、７は、誘電体８を介してフェライト部材４上に載置される。
【００２３】
この時、第１，第２，第３の中心導体５，６，７の端子部５ｃ、６ｃ、７ｃのそれぞれがチップ型のコンデンサＣ１の第２の電極部２３に半田付けされて、電気的に接続されると共に、端子部５ｃ、６ｃ、７ｃの端部は、第２のヨーク３から外方に突出する。
また、接続部５ｂ、６ｂ、７ｂは、第２のヨーク３の底板３ａに半田付けされて、接地状態で電気的に接続される。
【００２４】
そして、第１，第２，第３の中心導体５，６，７上には、第１のヨーク１に位置決めされた磁石２を配置し、この状態で、第１，第２のヨーク１，３の側板１ｂ、３ｂ同士を結合して、第１，第２のヨーク１，３間で磁石２，フェライト部材４等を挟持すると、サーキュレータ、或いはアイソレータからなる非可逆回路素子が形成される。
【００２５】
また、このような構成を有する非可逆回路素子は、図４に示すように、第２のヨーク３の底板３ａが導電パターン１２を有する回路基板１３上に載置され、端子３ｄが導電パターン１２に半田付けされて、非可逆回路素子が面実装される。この半田付け時、切り溝部３ｅの存在によって、溶けた半田が底板３ａの下面側に広がることが無くなると共に、スリット部３ｆの存在によって、溶けた半田が図３の矢印Ａ方向に広がることが無く、従って、半田付けを確実に行うことができる。
【００２６】
そして、非可逆回路素子が搭載された際、第１，第２，第３の中心導体５，６，７の端子部５ｃ、６ｃ、７ｃは、配線用の導電パターンに半田付けされると共に、第２のヨーク３の端子３ｄが接地用の導電パターンに半田付けされる。
【００２７】
次に、本発明の非可逆回路素子の第２実施例の構成を図５に基づいて説明すると、第２のヨーク３の第２の側板３ｃに設けられた端子３ｄが底板３ａに設けられた切り溝部３ｅ内に位置したものである。
その他の構成は、前記第１実施例と同様であるので、同一部品に同一番号を付し、ここではその説明を省略する。
【００２８】
また、図６は、本発明の非可逆回路素子をサーキュレータに適用した等価回路図を示し、第１，第２，第３の中心導体５，６，７のそれぞれの一端側に入出力端子となる端子部５ｃ、６ｃ、７ｃが設けられ、また、それぞれの他端側である接続部５ｂ、６ｂ、７ｂが接地されると共に、第１，第２，第３の中心導体５，６，７の端子部５ｃ、６ｃ、７ｃには、接地されたチップ型のコンデンサＣ１が接続された構成となっている。
【００２９】
【発明の効果】
本発明の非可逆回路素子は、平板状のフェライト部材と、このフェライト部材上に位置し、誘電体を挟んで上下方向の異なる面に設けられて、上下方向に一部が交叉する第１，第２，第３の中心導体と、この中心導体上に配置された磁石と、この磁石を覆うように配置された第１のヨークと、フェライト部材の下面側に配置され、第１のヨークとで磁気閉回路を構成する第２のヨークとを備え、第２のヨークは、平板からなる底板と、この底板から上方に折り曲げられた側板と、この側板の下部に連結された状態で折り曲げられた端子を有し、端子は、底板との間に切り溝部を設けて、底板と切り離されたため、面実装時に半田が底板の下面側に広がることが無く、従って、従来のレジスト層が不要となって、生産性が良く、安価で、端子の半田付けの確実な非可逆回路素子を提供できる。
【００３０】
また、側板は、端子との結合部分の両側において、切り溝部と繋がったスリット部を設けたため、側板での半田の広がりを無くすることができて、端子の半田付けの確実な非可逆回路素子を提供できる。
【００３１】
また、端子は、底板と平行状態に側板から折り曲げられ、端子の下面が底板の下面と面一になしたため、面実装が一層良好となる。
【００３２】
また、端子が第２のヨークから外方に突出したため、その構成が簡単で、安価なものが得られる。
【００３３】
また、端子が切り溝部内に位置したため、その構成が簡単で、安価となり、且つ、端子が突出せず、小型ものが得られる。
【図面の簡単な説明】
【図１】本発明の非可逆回路素子の第１実施例に係る分解斜視図
【図２】本発明の非可逆回路素子の第１実施例に係る要部の断面図。
【図３】本発明の非可逆回路素子の第１実施例に係り、第２のヨークの要部の拡大斜視図。
【図４】本発明の非可逆回路素子の第１実施例に係り、第２のヨークの要部の拡大断面図。
【図５】本発明の非可逆回路素子の第２実施例に係り、第２のヨークの要部の拡大斜視図。
【図６】本発明の非可逆回路素子をサーキュレータに適用した等価回路図。
【図７】従来の非可逆回路素子に係るヨークの要部の拡大斜視図。
【図８】従来の非可逆回路素子に係るヨークの要部の拡大断面図。
【符号の説明】
１  第１のヨーク
１ａ  上板
１ｂ  側板
１１  位置決め部材
２  磁石
３  第２のヨーク
３ａ  底板
３ｂ  第１の側板
３ｃ  第２の側板
３ｄ  端子
３ｅ  切り溝部
３ｆ  スリット部
４  フェライト部材
５  第１の中心導体
５ａ  折り曲げ部
５ｂ  接続部
５ｃ  端子部
６  第２の中心導体
６ａ  折り曲げ部
６ｂ  接続部
６ｃ  端子部
７  第３の中心導体
７ａ  折り曲げ部
７ｂ  接続部
７ｃ  端子部
８  誘電体
１２  導電パターン
１３  回路基板
Ｃ１  チップコンデンサ
２１  絶縁体
２２  第１の電極部
２３  第２の電極部
【図１】
0003660316.tif 000002
【図２】
0003660316.tif 000003
【図３】
0003660316.tif 000004
【図４】
0003660316.tif 000005
【図５】
0003660316.tif 000006
【図６】
0003660316.tif 000007
【図７】
0003660316.tif 000008
【図８】
0003660316.tif 000009